(57)【要約】【課題】視度調整の範囲が広く、低コストで製造でき、収納時の容積が小さい緊急用防災非常用眼鏡としてのテンポラリー眼鏡セットを提供する。【解決手段】テンポラリー眼鏡セット１０は、左右の眼鏡レンズ２２Ａ、２２Ｂを有するテンポラリー眼鏡２０と、レンズ膜セット３０と、これらテンポラリー眼鏡２０及びレンズ膜セット３０とを収納するパッケージ４０とで構成されていて、レンズ膜セット３０は、レンズ度数を−０．５Ｄ変化させる機能を備えた第１の近視用レンズ膜３１と、レンズ度数を−１．０Ｄ変化させる機能を備えた第２の近視用レンズ膜３２と、レンズ度数を−１．５Ｄ変化させる機能を備えた第３の近視用レンズ膜３３と、を各々２枚含んで構成されていて、これらのレンズ膜３１、３２、３３を眼鏡レンズ２２Ａ又は２２Ｂにレンズ外側から１枚又は２枚貼り付けて、最適な度数に調整することができる。【選択図】図４
2015197521.tif 000002
【特許請求の範囲】
【請求項１】
左右の眼鏡レンズを一体として構成される透明樹脂製の眼鏡レンズ部及びテンプル部を有してなるテンポラリー眼鏡と、前記テンポラリー眼鏡における前記眼鏡レンズに、１枚又は２枚重ねで貼着可能で、且つ、視力を矯正可能な度数を有するレンズ膜からなるレンズ膜セットと、前記テンポラリー眼鏡と前記レンズ膜セットとを収納するパッケージと、を含んでなり、
前記左右の眼鏡レンズは、低近視度、高近視度及び遠老視度のいずれかの視力矯正用レンズからなり、
前記レンズ膜セットは、前記左右の眼鏡レンズが低近視度用又は、高近視度用の場合に、レンズ度数を−０．５Ｄ変化させる機能を備えた第１の近視用レンズ膜、レンズ度数を−１．０Ｄ変化させる機能を備えた第２の近視用レンズ膜、レンズ度数を−１．５Ｄ変化させる機能を備えた第３の近視用レンズ膜、
を少なくとも含んでなり、そのうちの１枚又は２枚の近視用レンズ膜を前記左右の眼鏡レンズの少なくとも一方に貼着可能とされたことを特徴とするテンポラリー眼鏡セット。
【請求項２】
左右の眼鏡レンズを一体として構成される透明樹脂製の眼鏡レンズ部及びテンプル部を有してなるテンポラリー眼鏡と、前記テンポラリー眼鏡における前記眼鏡レンズに、１枚又は２枚重ねで貼着可能で、且つ、視力を矯正可能な度数を有するレンズ膜からなるレンズ膜セットと、前記テンポラリー眼鏡と前記レンズ膜セットとを収納するパッケージと、を含んでなり、
前記左右の眼鏡レンズは、低近視度、高近視度及び遠老視度のいずれかの視力矯正用レンズからなり、
前記レンズ膜セットは、前記左右の眼鏡レンズが遠老視度用の場合に、レンズ度数を＋０．５Ｄ変化させる機能を備えた第１の遠視用レンズ膜、レンズ度数を＋１．０Ｄ変化させる機能を備えた第２の遠視用レンズ膜、レンズ度数を＋１．５Ｄ変化させる機能を備えた第３の遠視用レンズ膜、
を少なくとも含んでなり、そのうちの１枚又は２枚の遠視用レンズ膜を前記左右の眼鏡レンズの少なくとも一方に貼着可能とされたことを特徴とするテンポラリー眼鏡セット。
【請求項３】
左右の眼鏡レンズを一体として構成される透明樹脂製の眼鏡レンズ部及びテンプル部を有してなるテンポラリー眼鏡と、前記テンポラリー眼鏡における前記眼鏡レンズに貼着可能で、且つ、視力を矯正可能な度数を有するレンズ膜からなるレンズ膜セットと、前記テンポラリー眼鏡と前記レンズ膜セットとを収納するパッケージと、を含んでなり、
前記左右の眼鏡レンズは、低近視度の視力矯正用レンズからなり、
前記レンズ膜セットは、レンズ度数を−０．５Ｄ、−１．０Ｄ、−１．５Ｄ、−２．０Ｄ、−２．５Ｄ、−３．０Ｄ、−３．５Ｄ、−４．０Ｄ及び−４．５Ｄに変化させる機能を備えた９種類のレンズ膜、
を少なくとも含んでなり、そのうちの１種類のレンズ膜を前記左右の眼鏡レンズの少なくとも一方に貼着可能とされたことを特徴とするテンポラリー眼鏡セット。
【請求項４】
請求項１乃至３のいずれかにおいて、
前記テンポラリー眼鏡セットにおける前記眼鏡レンズに貼着された前記レンズ膜の上に更に貼着可能で、且つ、乱視を矯正可能な少なくとも１種類の乱視矯正用レンズ膜を含んでおり、
前記乱視矯正用レンズ膜は、円柱レンズを円形に切り取った形状であり、円柱レンズの軸線を円形中心廻りに回転させて調節して、前記貼着されているレンズ膜に貼着可能とされたことを特徴とするテンポラリー眼鏡セット。
【請求項５】
左右の眼鏡レンズを一体として構成される透明樹脂製の眼鏡レンズ部と、
テンプル部と、
前記テンプル部が接続可能な智部とを有してなり、
前記眼鏡レンズ部と前記智部は、実質的に同一種類の樹脂材料により連続一体的に形成されていることを特徴とするテンポラリー眼鏡。
【請求項６】
請求項５において、
前記智部は、前記眼鏡レンズ部の左右の端部の一部から構成されていることを特徴とするテンポラリー眼鏡。
【請求項７】
請求項６において、
前記智部は、前記眼鏡レンズ部の左右の端部の一部を、該端部よりもレンズ内側に肉厚に盛り上げて形成されていることを特徴とするテンポラリー眼鏡。
【請求項８】
請求項５乃至７のいずれかにおいて、
前記眼鏡レンズ部の外周のうち、少なくとも上端縁に沿う部分をレンズ中心側部分よりも肉厚に形成して、フレーム部としたことを特徴とするテンポラリー眼鏡。
【請求項９】
請求項５乃至８のいずれかにおいて、
前記左右の眼鏡レンズの少なくとも一方に、視力を矯正可能な度数を有するレンズ膜を貼着したことを特徴とするテンポラリー眼鏡。
【発明の詳細な説明】
【技術分野】
【０００１】
本発明は、緊急用防災非常用眼鏡としてのテンポラリー眼鏡セット及びテンポラリー眼鏡に関する。
【背景技術】
【０００２】
緊急用防災非常用眼鏡として、ＡＤＬＥＮＳ（登録商標）と称されるものが開発されている。
【０００３】
これは、左右の眼鏡レンズのそれぞれの前面に、小型の眼鏡レンズを重ねてねじにより左右に移動させることにより、度数を調整可能としたものである。
【０００４】
しかしながら、この緊急用防災非常用眼鏡は、視度調整の範囲が狭く、また、可動な小型レンズの範囲に視野が限定されてしまうという問題点がある。さらに、乱視の矯正もできないという問題点がある。
【０００５】
また、上記の緊急用防災非常用眼鏡は、左右の眼鏡レンズにそれぞれ可動な小型レンズを取り付けた構成であるので、製造コストが高く、且つ、収納時の容積が大きいために、災害用として、自治体などが大量に備蓄するには適していないという問題点もある。
【０００６】
更に、特許文献１には左右一体形の眼鏡レンズを有する左右一体形眼鏡が開示されているが、レンズ枠と眼鏡レンズとが別体であるので、製造コストが高くなり、災害に備えて、大量に備蓄するには適当でないという問題点がある。
【先行技術文献】
【特許文献】
【０００７】
【特許文献１】特開２００９−４７８６２号公報
【発明の概要】
【発明が解決しようとする課題】
【０００８】
この発明は、緊急用防災非常用眼鏡としての、視度の調整範囲が大きく、且つ、視野が狭く限定されないようにしたテンポラリー眼鏡セット及びテンポラリー眼鏡を提供することを課題とする。
【０００９】
更に、乱視の矯正ができるテンポラリー眼鏡セット及びテンポラリー眼鏡を提供することを課題とする。
【００１０】
また、製造コストが低く、収納時の容積が小さいテンポラリー眼鏡セット及びテンポラリー眼鏡を提供することを課題とする。
【課題を解決するための手段】
【００１１】
本発明者は、鋭意研究の結果、低コストで製造できると共に、収納時の容積が小さく、災害に備えて大量に備蓄するのに最適なテンポラリー眼鏡セット及びテンポラリー眼鏡を開発した。
【００１２】
すなわち、以下の実施例によって上記課題を解決することができる。
【００１３】
本発明のテンポラリー眼鏡セットは、テンポラリー眼鏡と、このテンポラリー眼鏡における左右の眼鏡レンズに、１枚又は２枚重ねで貼着可能で、且つ、視力を矯正可能な度数を有するレンズ膜からなるレンズ膜セットと、前記テンポラリー眼鏡と前記レンズ膜セットとを収納するパッケージと、を含んでなり、前記左右の眼鏡レンズは、低近視度、高近視度及び遠老視度のいずれかの視力矯正用レンズからなり、前記レンズ膜セットは、前記左右の眼鏡レンズが低近視度用又は、高近視度用の場合に、レンズ度数を−０．５Ｄ変化させる機能を備えた第１の近視用レンズ膜、レンズ度数を−１．０Ｄ変化させる機能を備えた第２の近視用レンズ膜、レンズ度数を−１．５Ｄ変化させる機能を備えた第３の近視用レンズ膜、を少なくとも含んでなり、そのうちの１枚又は２枚の近視用レンズ膜を前記左右の眼鏡レンズの少なくとも一方に貼着可能として、上記課題を解決したものである。
【００１４】
また、本発明のテンポラリー眼鏡セットは、テンポラリー眼鏡と、前記テンポラリー眼鏡における左右の眼鏡レンズに、１枚又は２枚重ねで貼着可能で、且つ、視力を矯正可能な度数を有するレンズ膜からなるレンズ膜セットと、前記テンポラリー眼鏡と前記レンズ膜セットとを収納するパッケージと、を含んでなり、前記左右の眼鏡レンズは、低近視度、高近視度及び遠老視度のいずれかの視力矯正用レンズからなり、前記レンズ膜セットは、前記左右の眼鏡レンズが遠老視度用の場合に、レンズ度数を＋０．５Ｄ変化させる機能を備えた第１の遠視用レンズ膜、レンズ度数を＋１．０Ｄ変化させる機能を備えた第２の遠視用レンズ膜、レンズ度数を＋１．５Ｄ変化させる機能を備えた第３の遠視用レンズ膜、を少なくとも含んでなり、そのうちの１枚又は２枚の遠視用レンズ膜を前記左右の眼鏡レンズの少なくとも一方に貼着可能として、上記課題を解決したものである。
【００１５】
更に、本発明のテンポラリー眼鏡セットは、テンポラリー眼鏡と、前記テンポラリー眼鏡における左右の眼鏡レンズに貼着可能で、且つ、視力を矯正可能な度数を有するレンズ膜からなるレンズ膜セットと、前記テンポラリー眼鏡と前記レンズ膜セットとを収納するパッケージと、を含んでなり、前記左右の眼鏡レンズは、低近視度の視力矯正用レンズからなり、前記レンズ膜セットは、レンズ度数を−０．５Ｄ、−１．０Ｄ、−１．５Ｄ、−２．０Ｄ、−２．５Ｄ、−３．０Ｄ、−３．５Ｄ、−４．０Ｄ及び−４．５Ｄに変化させる機能を備えた９種類のレンズ膜、を少なくとも含んでなり、そのうちの１種類のレンズ膜を前記左右の眼鏡レンズの少なくとも一方に貼着可能として、上記課題を解決したものである。
【００１６】
なお、前記テンポラリー眼鏡セットにおける前記眼鏡レンズに貼着された前記レンズ膜の上に更に貼着可能で、且つ、乱視を矯正可能な少なくとも１種類の乱視矯正用レンズ膜を含んでおり、前記乱視矯正用レンズ膜は、円柱レンズを円形に切り取った形状であり、円柱レンズの軸線を円形中心廻りに回転させて調節して、前記貼着されているレンズ膜に貼着可能としてもよい。
【００１７】
本発明のテンポラリー眼鏡は、左右の眼鏡レンズを一体として構成される透明樹脂製の眼鏡レンズ部と、テンプル部と、前記テンプル部が接続可能な智部とを有してなり、前記眼鏡レンズ部と前記智部を、実質的に同一種類の樹脂材料により連続一体的に形成することにより、前記課題を解決したものである。
【００１８】
なお、前記智部は、前記眼鏡レンズ部の左右の端部の一部から構成してもよい。
【００１９】
また、前記智部は、前記眼鏡レンズ部の左右の端部の一部を、該端部よりもレンズ内側に肉厚に盛り上げて形成してもよい。
【００２０】
また、前記眼鏡レンズ部の外周のうち、少なくとも上端縁に沿う部分をレンズ中心側部分よりも肉厚に形成して、フレーム部としてもよい。
【００２１】
更に、前記左右の眼鏡レンズの少なくとも一方に、視力を矯正可能な度数を有するレンズ膜を貼着してもよい。
【発明の効果】
【００２２】
本発明のテンポラリー眼鏡セットでは、左右の眼鏡レンズの各々に、装着者の視力に最適な度数を有するレンズ膜を選択して貼着する構成であり、視度矯正用のレンズ膜を移動させたりする必要がなく、構造が簡単、且つ、低コストで製造できるという効果を有する。
【００２３】
また、本発明のテンポラリー眼鏡は、眼鏡レンズ部が、左右の眼鏡レンズを一体として透明樹脂によって構成されるので、体積当たりの強度も大きく、すなわち厚さを薄くして、収納容積を小さくすることができるという効果を有する。
【図面の簡単な説明】
【００２４】
【図１】実施例に係るテンポラリー眼鏡を模式的に示す斜視図
【図２】本発明の実施例１に係るテンポラリー眼鏡セットを模式的に示す斜視図
【図３】図１のIII−III線に沿う断面図
【図４】同実施例における近視用レンズ膜をテンポラリー眼鏡の眼鏡レンズに貼着した状態を示す斜視図、及び、近視用レンズ膜セットを模式的に拡大して示す断面図
【図５】実施例２における遠視用レンズ膜セットを模式的に拡大して示す断面図
【図６】実施例３における乱視矯正用レンズ膜を模式的に拡大して示す斜視図
【図７】乱視矯正用レンズ膜を模式的に示す斜視図
【発明を実施するための形態】
【００２５】
以下、本発明を実施するための形態を詳細に説明する。
【実施例１】
【００２６】
実施例１に係るテンポラリー眼鏡セット１０は、図１に示されるような、テンポラリー眼鏡２０と、図２に示されるような、レンズ膜セット３０と、これらテンポラリー眼鏡２０及びレンズ膜セット３０とを収納するパッケージ４０とで構成されている。
【００２７】
テンポラリー眼鏡２０は、眼鏡レンズ部２２と、テンプル部２４と、テンプル部２４が接続可能な智部２６、鼻パッド２８とを有して構成されていて、眼鏡レンズ部２２は、左右の眼鏡レンズ２２Ａ、２２Ｂを一体として構成され、透明樹脂材料から形成されている。
【００２８】
図１に示されるように、智部２６は、眼鏡レンズ部２２の左右の端部の一部をこの端部よりもレンズ内側に肉厚に盛り上げて形成されている。更に、図３に示されるように、眼鏡レンズ部２２の外周のうち、上端縁に沿う部分をレンズ中心側部分よりも肉厚に形成して、フレーム部２３としている。肉厚部分は、図３に示されるように、レンズ中心側部分から滑らかに連続的に厚さを変化させて形成する。
【００２９】
又、鼻パッド２８は、左右の眼鏡レンズ２２Ａ、２２Ｂの間の位置で、眼鏡レンズ２２Ａ、２２Ｂの端部をレンズ内側に突出させて眼鏡レンズ２２Ａ、２２Ｂと一体的に形成されている。
【００３０】
上記実施例において、フレーム部２３は、眼鏡レンズ部２２の上端縁に沿う部分が肉厚に形成されることにより構成されているが、上端縁に沿う部分に加えて、眼鏡レンズ部２２の他の外周部分を肉厚にしてフレーム部にしても良い。また、鼻パッド２８は、眼鏡レンズ部２２と一体的に構成することなく、後付けであっても良い。テンプル部２４は、智部２６に対して、例えばねじからなる接続金具２４Ａにより、揺動自在に接続可能とされている。
【００３１】
眼鏡レンズ２２Ａ、２２Ｂは、低近視度又は高近視度の視力矯正用レンズであって、これに対して、図４に示されるように、レンズ膜セット３０は、レンズ度数を−０．５Ｄ変化させる機能を備えた第１の近視用レンズ膜３１と、レンズ度数を−１．０Ｄ変化させる機能を備えた第２の近視用レンズ膜３２と、レンズ度数を−１．５Ｄ変化させる機能を備えた第３の近視用レンズ膜３３と、を各々２枚含んで構成されている。これらのレンズ膜３１、３２、３３は、透明の剥離紙３４に、それぞれ透明の粘着層を介して貼り付けられている。
【００３２】
テンポラリー眼鏡２０の眼鏡レンズ部２２は、通常のレンズ用光学樹脂を用いて製造されている。又、第１〜第３の近視用レンズ膜３１〜３３は、透明な光学樹脂フィルム、例えば、コンタクトレンズ用のＰＭＭＡ（ポリメチルメタアクリレート）や、このＰＭＭＡにケイ素を加えた材料からなり、通常のコンタクトレンズと同様に、キャストモールド法、スピンキャスト法、レースカット法等によって成形されている。また、レンズ内側の湾曲度合いは、眼鏡レンズ２２Ａ、２２Ｂの外側面の湾曲度合と一致するようにされている。なお、ＰＭＭＡはハードコンタクトレンズに用いられているが、ソフトコンタクトレンズ用の材料は、乾燥すると脆弱となるので、そのままでは適当でないが、乾燥しないようにコーティングすれば用いることができる。
【００３３】
テンポラリー眼鏡２０とレンズ膜セット３０は、パッケージ４０内に収納されていて、緊急時等に取り出して用いる。使用時には、眼鏡レンズ部２２の智部２６に、テンプル部２４を接続金具２４Ａによって取り付け、この状態で、テンポラリー眼鏡２０を装着し、その上から、レンズ膜セット３０の第１〜第３の近視用レンズ膜３１〜３３を、透明の剥離紙３４に貼着したままで、眼鏡レンズ２２Ａ又は２２Ｂに順次指で押し付けて、最適の矯正度数の近視用レンズ膜を選択し、これを剥離紙３４から剥離して、眼鏡レンズ２２Ａ又は２２Ｂにレンズ外側から貼り付ける。
【００３４】
なお、１枚のレンズ膜では十分に矯正できない場合は、他の近視用レンズ膜を重ねて試してみてから、最初の近視用レンズ膜の上に重ね貼りする。
【００３５】
即ち、このテンポラリー眼鏡２０においては、予め低近視度用に、眼鏡レンズ２２Ａ、２２Ｂが構成されていて、その上に、１枚又は２枚の近視用レンズ膜を貼り付けることによって、レンズ度数を−０．５Ｄから、最大で、−２．５Ｄまで、０．５Ｄ刻みで矯正することができる。
【実施例２】
【００３６】
上記実施例の眼鏡レンズ２２Ａ、２２Ｂは、低近視度用又は高近視度用であり、レンズ膜セット３０は、第１〜第３の近視用レンズ膜３１〜３３から構成されているが、本発明はこれに限定されるものでなく、図５に示される実施例２のように、遠老視度の視力矯正用レンズと、これに貼着するレンズ膜セット５０から構成しても良い。
【００３７】
この場合、対応するレンズ膜セット５０は、レンズ度数を＋０．５Ｄ変化させる機能を備えた第１の遠視用レンズ膜５１と、レンズ度数を＋１．０Ｄ変化させる機能を備えた第２の遠視用レンズ膜５２と、レンズ度数を＋１．５Ｄ変化させる機能を備えた第３の遠視用レンズ膜５３から構成する。
【００３８】
これら第１〜第３の遠視用レンズ膜５１〜５３は、第１〜第３の近視用レンズ膜３１〜３３の場合と同様に、１枚又は２枚を左右の眼鏡レンズに貼り付けることができる。
【００３９】
上記実施例１、２は、近視用又は遠視用レンズ膜を、レンズ度数を−０．５Ｄ、−１．０Ｄ、−１．５Ｄ変化させる機能又は、レンズ度数を＋０．５Ｄ、＋１．０Ｄ、＋１．５Ｄ変化させる機能をそれぞれ有するレンズ膜によって構成しているが、更に、レンズ度数を幅広く変化させるようにしても良い。
【００４０】
この場合、レンズ膜セットは、レンズ度数を、−０．５Ｄ、−１．０Ｄ、−１．５Ｄ、−２．０Ｄ、−２．５Ｄ、−３．０Ｄ、−３．５Ｄ、−４．０Ｄ及び−４．５Ｄに変化させる機能を備えた９種類のレンズ膜から構成すると良い。
【００４１】
これらは、レンズ膜を重ね貼りしない場合のものであり、９種類のうちから、１種類のレンズ膜を、左右の眼鏡レンズの少なくとも一方に貼着可能とされている。
【００４２】
なお、高近視度の場合及び遠老視度の場合は、もともと、眼鏡レンズが強い矯正度数を
有しているので、上記のように多くのレンズ膜を準備する必要は無い。
【実施例３】
【００４３】
眼鏡による視力矯正が必要な人の、少なくない割合で、乱視の矯正の必要な人がいる。このような乱視矯正の場合を考慮して、図６に示されるような、実施例３に係る乱視矯正用レンズ膜６０を用いる。
【００４４】
この乱視矯正用レンズ膜６０は、テンポラリー眼鏡２０の眼鏡レンズ２２Ａ、２２Ｂに貼着された近視用あるいは遠視用レンズ膜の上に更に貼着可能で、且つ、少なくとも１種類を用意する。
【００４５】
このような乱視矯正用レンズ膜６０は、円柱レンズ６１の円周面を軸方向の平面で切り取ってから平面形状が円形となるようにしたものであり、断面が符号６２で示されるように、幅方向中央部が最も厚くなっていて、図７に示されるように、レンズ膜セットの剥離紙３４に貼着しておく。乱視矯正用レンズ膜６０は、剥離紙３４から剥離させる前に、眼鏡レンズ２２Ａ、２２Ｂの前に押し付けて、その状態で、円柱レンズ６１の直線状中央部６０Ａを円形中心廻りに回転させて調節して、最適な角度位置を決定してから、剥離紙３４から剥離して、図４に２点鎖線で示されるように、眼鏡レンズ２２Ａ、２２Ｂ上に貼着されているレンズ膜の上から更に重ね貼りする。
【００４６】
上記実施例に係るテンポラリー眼鏡２０は、眼鏡レンズ部２２の左右の眼鏡レンズ２２Ａ、２２Ｂが一体として構成され、透明樹脂材料から形成されているが、テンポラリー眼鏡セットに用いられる場合、低コストで製造できて、収納体積が小さいものであれば他の構成でもよい。
【００４７】
例えば、智部とテンプル部とが一体的に樹脂で形成されたもの、フレーム部、智部、テンプル部が一体的に樹脂で形成されていて、これに光学樹脂からなる眼鏡レンズ部を組合せたもの等であってもよい。
【００４８】
但し、上記実施例のテンポラリー眼鏡２０は、眼鏡レンズ部２２とフレーム部２３が同一材料で一体的に形成されているので、低コストで製造でき、且つ、収納体積も小さくなる。
【産業上の利用可能性】
【００４９】
災害等に備えて、テンポラリー眼鏡セットをレンズ膜セットと共にパッケージに入れた状態で多数製造し、備蓄しておくという利用分野がある。
【符号の説明】
【００５０】
１０…テンポラリー眼鏡セット
２０…テンポラリー眼鏡
２２…眼鏡レンズ部
２２Ａ、２２Ｂ…眼鏡レンズ
２３…フレーム部
２４…テンプル部
２６…智部
２８…鼻パッド
３０、５０…レンズ膜セット
３１…第１の近視用レンズ膜
３２…第２の近視用レンズ膜
３３…第３の近視用レンズ膜
３４…剥離紙
４０…パッケージ
５１…第１の遠視用レンズ膜
５２…第２の遠視用レンズ膜
５３…第３の遠視用レンズ膜
６０…乱視矯正用レンズ膜
６０Ａ…直線状中央部
６２…断面
【図１】
2015197521.tif 000003
【図２】
2015197521.tif 000004
【図３】
2015197521.tif 000005
【図４】
2015197521.tif 000006
【図５】
2015197521.tif 000007
【図６】
2015197521.tif 000008
【図７】
2015197521.tif 000009